【手続補正書】
【提出日】平成18年5月18日(2006.5.18)
【手続補正１】
【補正対象書類名】特許請求の範囲
【補正対象項目名】全文
【補正方法】変更
【補正の内容】
【特許請求の範囲】
【請求項１】
ブラック、シアン、マゼンタ及びイエロー用の記録液体を吐出口から吐出させる液体噴射ヘッドを備え、この液体噴射ヘッドの吐出口から前記各色の顔料分散型記録液体の液滴を吐出させて被記録体に画像を記録する液体噴射記録装置において、
前記ブラック、シアン、マゼンタ及びイエロー用の液体噴射ヘッドの吐出口の開口径を１０μｍないし２５μｍの範囲内とし、この吐出口の開口径をＤｏ、前記顔料粒子の大きさをＤｐとしたとき、前記各色の記録液体に分散された顔料の粒子の大きさを、前記吐出口の開口径Ｄｐに対してＤｐ／Ｄｏ≦０．０１の関係を充足し、かつ、０．０３μｍ≦Ｄｏの関係を充足する大きさにしたことを特徴とする液体噴射記録装置。
【請求項２】
ブラック、シアン、マゼンタ及びイエロー用の記録液体を吐出口から吐出させる液体噴射ヘッドを備え、この液体噴射ヘッドの吐出口から前記各色の顔料分散型記録液体の液滴を吐出させて被記録体に画像を記録する液体噴射記録装置において、
前記ブラック、シアン、マゼンタ及びイエロー用の液体噴射ヘッドは、各吐出口に対応して気泡を発生させるための発熱体を有するヘッドであり、
前記液体噴射ヘッドの吐出口の開口径を１０μｍないし２５μｍの範囲内とし、この吐出口の開口径をＤｏ、前記顔料粒子の大きさをＤｐとしたとき、前記各色の記録液体に分散された顔料の粒子の大きさを、前記吐出口の開口径Ｄｐに対してＤｐ／Ｄｏ≦０．０１の関係を充足し、かつ、０．０３μｍ≦Ｄｏの関係を充足する大きさにしたことを特徴とする液体噴射記録装置。
【請求項３】
ブラック、シアン、マゼンタ及びイエロー用の記録液体を吐出口から吐出させる液体噴射ヘッドを備え、この液体噴射ヘッドの吐出口から前記各色の顔料分散型記録液体の液滴を吐出させて被記録体に画像を記録する液体噴射記録装置において、
前記ブラック、シアン、マゼンタ及びイエロー用の液体噴射ヘッドは、各吐出口に対応して気泡を発生させるための発熱体を有し、前記ブラック、シアン、マゼンタ及びイエロー用のうちの少なくとも２つの異なる色の液滴を吐出させるための発熱体が同じ基板上に設けられたヘッドを含み、
前記液体噴射ヘッドの吐出口の開口径を１０μｍないし２５μｍの範囲内とし、この吐出口の開口径をＤｏ、前記顔料粒子の大きさをＤｐとしたとき、前記各色の記録液体に分散された顔料の粒子の大きさを、前記吐出口の開口径Ｄｐに対してＤｐ／Ｄｏ≦０．０１の関係を充足し、かつ、０．０３μｍ≦Ｄｏの関係を充足する大きさにしたことを特徴とする液体噴射記録装置。
【請求項４】
ブラック、シアン、マゼンタ及びイエロー用の記録液体を吐出口から吐出させる液体噴射ヘッドを備え、この液体噴射ヘッドの吐出口から前記各色の顔料分散型記録液体の液滴を吐出させて被記録体に画像を記録する液体噴射記録装置において、
前記ブラック、シアン、マゼンタ及びイエロー用の液体噴射ヘッドは、各吐出口に対応して気泡を発生させるための発熱体を有し、前記シアン、マゼンタ及びイエロー用のうちの少なくとも２つの異なる色の液滴を吐出させるための発熱体が同じ基板上に設けられたヘッドを含み、
前記液体噴射ヘッドの吐出口の開口径を１０μｍないし２５μｍの範囲内とし、この吐出口の開口径をＤｏ、前記顔料粒子の大きさをＤｐとしたとき、前記各色の記録液体に分散された顔料の粒子の大きさを、前記吐出口の開口径Ｄｏに対してＤｐ／Ｄｏ≦０．０１の関係を充足し、かつ、０．０３μｍ≦Ｄｐの関係を充足する大きさにしたことを特徴とする液体噴射記録装置。
【手続補正２】
【補正対象書類名】明細書
【補正対象項目名】０００７
【補正方法】変更
【補正の内容】
【０００７】
上記の課題を解決するため、本発明に係る液体噴射記録装置は、ブラック、シアン、マゼンタ及びイエロー用の記録液体を吐出口から吐出させる液体噴射ヘッドを備え、この液体噴射ヘッドの吐出口から前記各色の顔料分散型記録液体の液滴を吐出させて被記録体に画像を記録する液体噴射記録装置において、前記ブラック、シアン、マゼンタ及びイエロー用の液体噴射ヘッドの吐出口の開口径を１０μｍないし２５μｍの範囲内とし、この吐出口の開口径をＤｏ、前記顔料粒子の大きさをＤｐとしたとき、前記各色の記録液体に分散された顔料の粒子の大きさを、前記吐出口の開口径Ｄｏに対してＤｐ／Ｄｏ≦０．０１の関係を充足し、かつ、０．０３μｍ≦Ｄｐの関係を充足する大きさにした構成とした。
【手続補正３】
【補正対象書類名】明細書
【補正対象項目名】０００８
【補正方法】変更
【補正の内容】
【０００８】
また、本発明に係る液体噴射記録装置は、ブラック、シアン、マゼンタ及びイエロー用の記録液体を吐出口から吐出させる液体噴射ヘッドを備え、この液体噴射ヘッドの吐出口から前記各色の顔料分散型記録液体の液滴を吐出させて被記録体に画像を記録する液体噴射記録装置において、前記ブラック、シアン、マゼンタ及びイエロー用の液体噴射ヘッドは、各吐出口に対応して気泡を発生させるための発熱体を有するヘッドであり、前記液体噴射ヘッドの吐出口の開口径を１０μｍないし２５μｍの範囲内とし、この吐出口の開口径をＤｏ、前記顔料粒子の大きさをＤｐとしたとき、前記各色の記録液体に分散された顔料の粒子の大きさを、前記吐出口の開口径Ｄｏに対してＤｐ／Ｄｏ≦０．０１の関係を充足し、かつ、０．０３μｍ≦Ｄｐの関係を充足する大きさにした構成とした。
【手続補正４】
【補正対象書類名】明細書
【補正対象項目名】０００９
【補正方法】変更
【補正の内容】
【０００９】
さらに、本発明に係る液体噴射記録装置は、ブラック、シアン、マゼンタ及びイエロー用の記録液体を吐出口から吐出させる液体噴射ヘッドを備え、この液体噴射ヘッドの吐出口から前記各色の顔料分散型記録液体の液滴を吐出させて被記録体に画像を記録する液体噴射記録装置において、前記ブラック、シアン、マゼンタ及びイエロー用の液体噴射ヘッドは、各吐出口に対応して気泡を発生させるための発熱体を有し、前記ブラック、シアン、マゼンタ及びイエロー用のうちの少なくとも２つの異なる色の液滴を吐出させるための発熱体が同じ基板上に設けられたヘッドを含み、前記液体噴射ヘッドの吐出口の開口径を１０μｍないし２５μｍの範囲内とし、この吐出口の開口径をＤｏ、前記顔料粒子の大きさをＤｐとしたとき、前記各色の記録液体に分散された顔料の粒子の大きさを、前記吐出口の開口径Ｄｐに対してＤｐ／Ｄｏ≦０．０１の関係を充足し、かつ、０．０３μｍ≦Ｄｏの関係を充足する大きさにした構成とした。
【手続補正５】
【補正対象書類名】明細書
【補正対象項目名】００１０
【補正方法】変更
【補正の内容】
【００１０】
また、本発明に係る液体噴射記録装置は、ブラック、シアン、マゼンタ及びイエロー用の記録液体を吐出口から吐出させる液体噴射ヘッドを備え、この液体噴射ヘッドの吐出口から前記各色の顔料分散型記録液体の液滴を吐出させて被記録体に画像を記録する液体噴射記録装置において、前記ブラック、シアン、マゼンタ及びイエロー用の液体噴射ヘッドは、各吐出口に対応して気泡を発生させるための発熱体を有し、前記シアン、マゼンタ及びイエロー用のうちの少なくとも２つの異なる色の液滴を吐出させるための発熱体が同じ基板上に設けられたヘッドを含み、前記液体噴射ヘッドの吐出口の開口径を１０μｍないし２５μｍの範囲内とし、この吐出口の開口径をＤｏ、前記顔料粒子の大きさをＤｐとしたとき、前記各色の記録液体に分散された顔料の粒子の大きさを、前記吐出口の開口径Ｄｐに対してＤｐ／Ｄｏ≦０．０１の関係を充足し、かつ、０．０３μｍ≦Ｄｏの関係を充足する大きさにした構成とした。
【手続補正６】
【補正対象書類名】明細書
【補正対象項目名】００１１
【補正方法】変更
【補正の内容】
【００１１】
本発明に係る液体噴射記録装置は、少なくとも、ブラック、シアン、マゼンタ及びイエロー用の液体噴射ヘッドの吐出口の開口径を１０μｍないし２５μｍの範囲内とし、この吐出口の開口径をＤｏ、顔料粒子の大きさをＤｐとしたとき、各色の記録液体に分散された顔料の粒子の大きさを、吐出口の開口径Ｄｐに対してＤｐ／Ｄｏ≦０．０１の関係を充足し、かつ、０．０３μｍ≦Ｄｏの関係を充足する大きさにした構成としたので、微細な吐出口を有する液体噴射ヘッドに顔料粒子を分散させた顔料分散型記録液体を使用しても目詰まりを生じることなく吐出することができて、高画質画像を記録することができる。
【手続補正７】
【補正対象書類名】明細書
【補正対象項目名】００６４
【補正方法】変更
【補正の内容】
【００６４】
以上の結果より、液体噴射ヘッドの吐出口の開口径を１０μｍないし２５μｍの範囲内とし、この吐出口の開口径をＤｏ、顔料粒子の大きさをＤｐとしたとき、記録液体に分散された顔料の粒子の大きさを、吐出口の開口径Ｄｐに対してＤｐ／Ｄｏ≦０．０１の関係を充足し、かつ、０．０３μｍ≦Ｄｏの関係を充足する大きさにすることで、目詰まりのない安定したインク噴射が得られることが分かる。なお、実験では、吐出口が丸いもので行っているが、他の形状（多角形）の場合は、その面積比で換算した範囲内にすればよい。